(57)【要約】【課題】低コストで撮像装置の小型化及び高いデザイン性を達成しつつ、ストラップの固定が容易なストラップ固定手段を提供すること。【解決手段】ストラップを撮像装置本体（１）に固定するためのストラップ固定部（１３）と、撮像装置本体（１）から開閉あるいは着脱可能なカバー部材（１４）を有する撮像装置において、撮像装置本体（１）に対してカバー部材（１４）が収納状態では、ストラップ固定部（１３）の底面をカバー部材（１４）の第１の面（２０）で構成し、撮像装置本体（１）に対してカバー部材（１４）が開けられた状態では、ストラップ固定部（１３）の底面はカバー部材（１４）の第２の面（２１）で構成し、第１の面（２０）と第２の面（２１）の深さを変更したことを特徴とする。【選択図】図１
2016004138.tif 000002
【特許請求の範囲】
【請求項１】
撮像装置本体（１）を搬送する際に使用するストラップを撮像装置本体（１）に固定するためのストラップ固定部（１３）と、撮像装置本体（１）から開閉あるいは着脱可能なカバー部材（１４）を有する撮像装置において、撮像装置本体（１）に対してカバー部材（１４）が収納状態では、ストラップ固定部（１３）の底面をカバー部材（１４）の第１の面（２０）で構成し、撮像装置本体（１）に対してカバー部材（１４）が開けられた状態では、ストラップ固定部（１３）の底面はカバー部材（１４）の第２の面（２１）で構成したことを特徴とする撮像装置。
【請求項２】
前記カバー部材（１４）に設けられた第１の面（２０）と第２の面（２１）には段差があり、第２の面（２１）の方が第１の面（２０）よりも深くなっていることを特徴とする請求項１に記載の撮像装置。
【請求項３】
前記カバー部材（１４）に設けられた第１の面（２０）と第２の面（２１）との段差は、なめらかに連続的につながっていることを特徴とする請求項１又は請求項２に記載の撮像装置。
【請求項４】
前記カバー部材（１４）は撮像装置本体（１）に対して、引き出し可能に取り付けられていることを特徴とする請求項１乃至請求項３の何れか一項に記載の撮像装置。
【請求項５】
前記カバー部材（１４）にはロック部（１９）が設けられており、前記カバー部材（１４）を撮像装置本体（１）から所定量引出した際にロック部（１９）により前記カバー部材（１４）の引き出し量が規制されることを特徴とする請求項１乃至請求項４の何れか一項に記載の撮像装置。
【請求項６】
前記カバー部材（１４）を撮像地本体より所定量引出し、前記ロック部（１９）により引き出しが規制されたのち、さらに引出すことで前記ロック部（１９）を乗り越え、前記カバー部材（１４）の引き出し量が所定量以上引き出せることを特徴とする請求項１乃至請求項５の何れか一項に記載の撮像装置。
【請求項７】
前記カバー部材（１４）には凸部（２２）が設けられており、撮像装置本体（１）に対してカバー部材（１４）が収納状態では、前記凸部（２２）は外装カバー（４）に設けられた第１の開口部（１６ａ）から見える位置に配され、撮像装置本体（１）に対してカバー部材（１４）が開けられた状態では、前記凸部（２２）は外装カバー（４）に設けられた第２の開口部（１６ｂ）から見える位置になることを特徴とする請求項１乃至請求項６の何れか一項に記載の撮像装置。
【請求項８】
前記カバー部材（１４）には凸部（２２）が設けられており、前記カバー部材（１４）が所定量引出されて前記ロック部（１９）によって引き出しが規制された状態では、前記凸部（２２）は外装カバー（４）に設けられた第１の開口部（１６ａ）から見える位置に配され、さらに引出すことで前記ロック部（１９）を乗り越え、前記カバー部材（１４）を所定量以上引出した状態では前記凸部（２２）は外装カバー（４）に設けられた第２の開口部（１６ｂ）から見える位置なることを特徴とする請求項１乃至請求項６の何れか一項に記載の撮像装置。
【請求項９】
撮像装置本体（１）を搬送する際に使用するストラップを撮像装置本体（１）に固定するためのストラップ固定部（１３）と、撮像装置本体（１）から開閉あるいは着脱可能なカバー部材（１４）を有する撮像装置において、撮像装置本体（１）に対してカバー部材（１４）が収納状態では、ストラップ固定部（１３）の底面をカバー部材（１４）で構成し、撮像装置本体（１）に対してカバー部材（１４）が開けられた状態では、ストラップ固定部（１３）の底面は撮像装置の内部筺体で構成したことを特徴とする撮像装置。
【請求項１０】
前記カバー部材（１４）に設けられた第１の面（２０）と内部筺体で構成された面には段差があり、内部筺体で構成された面の方が第１の面（２０）よりも深くなっていることを特徴とする請求９に記載の撮像装置。
【請求項１１】
前記カバー部材（１４）に設けられた第１の面（２０）と内部筺体で構成された面との段差は、なめらかに連続的につながっていることを特徴とする請求項１０又は請求項１１に記載の撮像装置。
【発明の詳細な説明】
【技術分野】
【０００１】
本発明は、ストラップなどの吊り下げ用部材を装着可能な、小型のデジタルカメラ、ビデオカメラ等の撮像装置に関し、特に外部端子コネクタのカバーを近傍に配するストラップ固定部に関するものである。
【背景技術】
【０００２】
電子機器の小型化、薄型化はとどまることを知らず、デジタルカメラのような撮像装置においても同様である。また一方、デザイン性に関しても要求が高く、より薄く、あるいはより高品位に見せるために余計な突出部を設けないよう配慮されている。携帯電話や小型のデジタルカメラ等に用いられる吊り下げ用のハンドストラップは、撮像装置本体に設けられるストラップ固定部にストラップの細紐環状部を通して、さらにストラップ本体を細紐環状部に通すことで撮像装置本体に固定するのがもっとも一般的である。この方式では撮影者が容易にストラップを取り外しできるだけでなく、お気に入りのハンドストラップを撮像装置本体に取り付けることが可能となる。
【０００３】
また、ストラップ固定部は撮像装置本体の側面部、特に撮影時に右手で撮像装置本体を保持する側つまりグリップ側に設けられることが多い。これは撮影者がハンドストラップを右手首に通しておくことでスムーズに撮影動作に移れるようにしている。仮に反対側にストラップ固定部を配した場合、右手首にストラップを通すと不便となるために左手首にストラップを通しておくが、持ち運び時に撮像装置本体を保持する部分が撮影レンズ付近となり、撮影動作に移った際に撮影レンズの撮像装置本体からの繰り出しの邪魔となる。こうした理由よりストラップ固定部はグリップ側に配置することが望ましい。
【０００４】
しかしながら、特許文献１にあるような撮影装置本体から突出したストラップ固定部を撮像装置本体のグリップ側に配置すると、撮影者の手の中で障害物となり撮像装置本体を保持する際に不快である。また前述の小型化、あるいは高いデザイン性という観点からも撮像装置本体の側面に突出物があることは望ましくない。そこでストラップ固定部を撮像装置本体に埋設するという方法が採られてきた。
【先行技術文献】
【特許文献】
【０００５】
【特許文献１】特開２００７−１２８９９６号公報
【発明の概要】
【発明が解決しようとする課題】
【０００６】
撮像装置本体にストラップ固定部を埋設するという方法は、撮影者の撮像装置本体の保持やデザイン性の面からは優れているが、撮像装置本体から突出していない穴部に対してストラップの細紐環状部を通すという作業は作業性に優れておらず、撮影者が自分でハンドストラップを撮像装置本体に固定する際には作業が容易ではないという問題があった。
【０００７】
そこで、本発明の目的は、撮像装置の小型化や高いデザイン性を確保しつつ、撮像装置本体にハンドストラップを容易に取付けできる固定方法を提供することである。
【課題を解決するための手段】
【０００８】
上記目的を達成するために、本発明は、撮像装置本体を搬送する際に使用するストラップを撮像装置本体に固定するためのストラップ固定部と、撮像装置本体から開閉あるいは着脱可能なカバー部材を有する撮像装置において、撮像装置本体に対してカバー部材が収納状態では、ストラップ固定部の底面をカバー部材の第１の面で構成し、撮像装置本体に対してカバー部材が開けられた状態では、ストラップ固定部の底面はカバー部材の第２の面で構成したことを特徴とする。
【発明の効果】
【０００９】
本発明によれば、小型でかつデザイン性に優れた撮像地においても、安価な構造でハンドストラップを撮像装置に固定する作業を容易にすることができる。
【図面の簡単な説明】
【００１０】
【図１】デジタルカメラ本体の正面側外観斜視図
【図２】デジタルカメラ本体の背面側外観斜視図
【図３】カバー部材の操作を示す部分斜視図
【図４】ストラップ固定部の部分斜視図
【図５】ストラップ固定部の部分断面図
【発明を実施するための形態】
【００１１】
以下に、本発明の好ましい実施の形態を、添付の図面に基づいて詳細に説明する。
【００１２】
［実施例１］
図１は、本発明のストラップ固定部を組み込んだ、デジタルカメラ本体１の正面側外観斜視図、図２は、背面側外観斜視図である。
【００１３】
デジタルカメラ本体１は、デジタルカメラ本体１の撮影者側を構成する前面外装カバー２と撮影者側を構成する背面外装カバー３と上面と側面部を構成する側面外装カバー４とで覆われている。
【００１４】
デジタルカメラ本体１の正面には、光学レンズを備えたレンズ鏡筒５が配置されている。本実施例ではレンズ鏡筒５は、デジタルカメラ本体１より突出しているが、デジタルカメラ本体１の可搬性を高めるために使用時には前面外装カバー２より突出した所定位置に繰り出され、不使用時或いは撮影画像の表示のみを行う時には前面外装カバー２より突出しないように収納可能となっていてもよい。
【００１５】
また、周囲が所定の明るさ以下である場合に良好な撮影が行われるよう、ストロボ発光部６及び補助光７が配置されている。ストロボ発光部６は、撮影のタイミングに合わせて所望の明るさを被写体に対して照射する仕組みとなっている。本実施例では使用時にデジタルカメラ本体１から突出するように進退可能に配置され、不使用時にはデジタルカメラ本体１に収納されるようになっている。また、補助光７は、周囲が暗い状態でもオートフォーカスの精度を保つために撮影前に被写体に対して光を照射する仕組みとなっている。
【００１６】
デジタルカメラ本体１の上部には、撮影者が撮影開始を指示するためのレリーズボタン８と撮影画像の変倍操作を行うためのズームレバー９が配置されている。レリーズボタン８は、合焦開始と撮影開始をそれぞれ指示するためのものであり、レリーズボタン８の操作の検出は、押込み量に応じて２段階に検出できる２段スイッチ構造となっている。ズームレバー９は、光軸に対して略直交する回転軸を中心に回動自在にデジタルカメラ本体１に取り付けられており、ズームレバー９の回転操作の操作量を検出し、得られた検出結果により撮影レンズを光軸方向に進退させるズーム制御が行われる。特にズームレバー９やレリーズボタン８は撮影者が右手でデジタルカメラ本体１を保持した場合、人差し指で容易に操作できるようデジタルカメラ本体１の上部に配置されることが望ましい。
【００１７】
デジタルカメラ本体１の背面には、電源ボタン１０、表示部１１、操作部材１２ａ〜ｅが配置されている。電源ボタン１０は、デジタルカメラ本体１の電源のＯＮ／ＯＦＦを切替えるための操作部材である。表示部１１は、撮影時の撮影可能範囲や各種撮影機能の設定変更の内容確認あるいは撮影した画像の再生表示等に用いられる。操作部材１２ａ〜ｅには、静止画撮影／動画撮影の切替えや各種シーンモードの変更などの撮影モードの切替えに使用されるＭＯＤＥダイアル１２ａや各種設定を変更するためのＭＥＮＵボタン１２ｂが含まれる。更に、選択内容を決定するためのセットボタン１２ｃ、撮影画像の再生時に複数枚の再生画像の中から所望のものを選び出すための選択ボタン１２ｄ、撮影した画像の再生表示モードにダイレクトに切り替わる再生ボタン１２ｅなども含まれる。
【００１８】
デジタルカメラ本体１の側面部には、ストラップ固定部１３が配置されている。デジタルカメラ本体１の運搬時にはストラップによりデジタルカメラ本体１が吊り下げられた状態、あるいはストラップの手首を通した状態でカメラ本体を把持していることが多くみられる。そのためストラップ固定部１３は、特に撮影時に右手で撮像装置本体を保持する側つまりグリップ側に設けられることが多い。これは撮影者がストラップを右手首に通しておくことで、デジタルカメラ本体１の運搬状態からスムーズに撮影動作に移れるようにするためである。
【００１９】
デジタルカメラ本体１の側面部にはさらに外部端子コネクタの保護用のカバー部材１４が配されている。外部端子コネクタには通信用のＵＳＢコネクタや電源供給用の電源コネクタ、あるいは画像や音声を出力するためのＡＶコネクタ、ＨＤＭＩ（登録商標）コネクタなどがある。外部端子のコネクタはデジタルカメラ本体１の内部で回路基板上に実装されていることが多い。薄くて小型のデジタルカメラにおいては、回路基板を小さく効率的に配置することが重要となってくる。そのため回路基板は撮影レンズを避けたグリップ側に電源用の電池とともに配置されることが多い。
【００２０】
またデジタルカメラ本体１の上面部は各種操作部材が配置されるため、回路基板に実装される外部端子コネクタは、デジタルカメラ本体１のグリップ側の側面か、下面から外部に露出するように配置されることが一般的である。ただしデジタルカメラ本体１の底面部から露出させる場合、ケーブル類が接続された場合にデジタルカメラ本体１が自立できなくなることが予想されるため、外部端子コネクタはグリップ側の側面からデジタルカメラ本体１の外部に露出させるのが最も望ましい。
【００２１】
図３はカバー部材１４の操作を示した斜視図である。図３（ａ）は撮影時や運搬時あるいは不使用時などデジタルカメラ本体１の通常使用状態で、カバー部材１４がデジタルカメラ本体１に収納されている状態を示す。図３（ｂ）はカバー部材１４を開閉するためにデジタルカメラ本体１よりカバー部材１４を引き出した状態を示す。図３（ｃ）は外部端子コネクタを露出させるためにカバー部材１４を開いた状態を示す。
【００２２】
通常使用状態ではデジタルカメラ本体１に収納固定されているカバー部材１４に対し、引掛け部１５に爪を引掛けてカバー部材１４をデジタルカメラ本体１より浮かした状態にしてから、デジタルカメラ本体１からカバー部材１４を引き出す。カバー部材１４を所定量引き出した後、デジタルカメラ本体１から離れる方向に対してカバー部材１４を開くことで外部端子コネクタが露出し、ＵＳＢケーブルやＨＤＭＩケーブルなどを接続することが可能となる。外部端子コネクタは不使用時には汚れやゴミの侵入などを避けるためにカバー部材１４で覆う。ストラップ固定部１３の周囲には側面外装カバー４に開口部１６が設けられており、ストラップ固定部１３を内部筺体に固定した状態で側面外装カバー４が組みつけられるようになっている。
【００２３】
開口部のうちストラップ固定部１３の上側に見える部分を１６ａ、ストラップ固定部１３の下側に見える部分を１６ｂとする。これはストラップ固定部１３の強度を確保するためになされており、薄く構成されがちな側面外装カバー４にストラップ固定部１３を固定するより有効である。側面外装カバー４の開口部の底面をカバー部材１４が構成しており、開口部１６からのゴミの侵入や内部筺体が見えてしまうことを防いでいる。
【００２４】
図４は側面外装カバー４を外した状態でのストラップ固定部１３の斜視図、図５は断面図である。図４(ａ)および図５(ａ)は通常使用状態、図４(ｂ)および図５(ｂ)はカバー部材１４を所定量引き出した状態を示す。カバー部材１４に設けられた一対の長穴部１７にストラップ固定部１３の脚部１８が貫通しておりカバー部材１４の引き出し操作方向を規制しているとともに、脱落防止を兼ねている。カバー部材１４には一対のロック部１９が備えられ、カバー部材１４を所定量引出した際にストラップ固定部１３に突当たり仮固定される。この位置でカバー部材１４の開閉を行い、外部端子コネクタを露出させる。
【００２５】
通常使用状態(図４(ａ)および図５(ａ）)では、側面外装カバー４の開口部におけるストラップ固定部１３の底面をカバー部材１４の第１の面２０で構成しており、カバー部材１４を引き出した際（図４(ｂ)および図５(ｂ）)には側面外装カバー４の開口部の底面をカバー部材１４の第２の面２１で構成する。
【００２６】
カバー部材１４の第１の面２０と第２の面２１は深さが異なり、第２の面２１の方が第１の面２０よりも深くなっている。使用者（撮影者）はストラップ固定部１３にストラップを取付ける際に、カバー部材１４を引き出した状態（図４(ｂ)および図５(ｂ)）でストラップの細紐環状部を通す。この状態では深さが深いのでストラップの細紐環状部を容易に通すことができる。
【００２７】
また、カバー部材１４を通常状態（図４(ａ)および図５(ａ）)に戻して使用することで、ストラップの細紐環状部はカバー部材１４の第１の面２０に抑えられ動きを規制されることでストラップの細紐環状部とストラップ固定部１３の擦れが生じにくくなり、ストラップの細紐環状部の切れを抑制することが可能となる。第１の面２０と第２の面２１は連続的に滑らかにつながっており、ストラップの細紐環状部の摩擦が生じても、カバー部材１４のデジタルカメラ本体１からの引き出しや収納が可能となっている。
【００２８】
図４(ｃ)および図５(ｃ)は所定量以上カバー部材１４を引き出した状態を示す。カバー部材１４にはさらに凸部２２が設けられている。ロック部１９で仮固定されたカバー部材１４をさらに引き出すことでロック部１９はストラップ固定部１３を乗り越え、カバー部材１４は所定量以上引出される。この時、凸部２２にストラップの細紐環状部をあらかじめ引掛けておくと凸部２２がストラップ固定部１３の反対側へストラップの細紐環状部を運ぶこととなり、ストラップの取付けがより簡易に行える。凸部２２はカバー部材１４が所定量引出された状態では不図示の側面外装カバー４の開口部１６ａから見える状態になっており、カバー部材１４が所定量以上引出された状態では不図示の側面外装カバー４の開口部１６ｂから見える状態になる。
【００２９】
以上説明したように、本実施例の形態では、カバー部材１４に深さの違う２つの面を設け、ストラップ固定部１３の底面を構成し、カバー部材１４の引き出しに伴いストラップ固定部１３の底面を構成する面を変化させることで、ストラップの取付け時には容易に取付けができ、使用時にはストラップの切れを抑制するストラップ固定部１３を小型かつ安価に構成することが可能となる。
【００３０】
また他の実施例として、カバー部材１４の第２の面２１に相当する部分が無く、内部筺体が見えるよう貫通穴となっており、第２の面２１の代わりに側面外装カバー４の開口部におけるストラップ固定部１３の底面を内部筺体で構成する。通常使用状態では、側面外装カバー４の開口部の底面をカバー部材１４の第１の面２０で構成しており、カバー部材１４を引き出した際には、側面外装カバー４の開口部におけるストラップ固定部１３の底面を内部筺体で構成する。
【００３１】
カバー部材１４の第１の面２０と内部筺体の面は深さが異なり、内部筺体の面の方が第１の面２０よりも深くなっている。使用者（撮影者）はストラップ固定部１３にストラップを取付ける際に、カバー部材１４を引き出した状態でストラップの細紐環状部を通す。この状態では深さが深いのでストラップの細紐環状部を容易に通すことができる。また、カバー部材１４を通常状態に戻して使用することで、ストラップの細紐環状部はカバー部材１４の第１の面２０に抑えられ動きを規制されることでストラップの細紐環状部とストラップ固定部１３の擦れが生じにくくなり、ストラップの細紐環状部の切れを抑制することが可能となる。第１の面２０と内部筺体の面は連続的に滑らかにつながっており、ストラップの細紐環状部の摩擦が生じても、カバー部材１４のデジタルカメラ本体１からの引き出しや収納が可能となっている。
【００３２】
ロック部１９やストラップの細紐環状部をストラップ固定部１３の反対側へ運ぶための凸部２２の構成は、第１の実施例同様に構成することができ、同様の効果が得られる。また、カバー部材１４の厚さをより薄く構成できるので、小型のデジタルカメラを構成する際には有効である。
【００３３】
なお、本実施形態ではデジタルカメラについて説明したが、外部端子コネクタなどを覆うためのカバー部材がストラップ固定部の近傍に配置されるような構成を持った電子機器であれば同様に適用することが出来る。
【符号の説明】
【００３４】
１：デジタルカメラ本体、４：外装カバー、１３：ストラップ固定部、
１４：カバー部材、１６ａ：上側開口部、１６ｂ：下側開口部、１９：ロック部、
２０：カバー部材の第１の面、２１：カバー部材の第２の面、２２：凸部
【図１】
2016004138.tif 000003
【図２】
2016004138.tif 000004
【図３】
2016004138.tif 000005
【図４】
2016004138.tif 000006
【図５】
2016004138.tif 000007